【手続補正書】
【提出日】平成18年8月28日(2006.8.28)
【手続補正１】
【補正対象書類名】特許請求の範囲
【補正対象項目名】全文
【補正方法】変更
【補正の内容】
【特許請求の範囲】
【請求項１】
各々がクロージャを有する複数の薬剤収納部であって各クロージャが切断可能コネクタを有する複数の薬剤収納部と、トリガー信号を受信するための計装薬剤パッケージ受信機と、前記切断可能コネクタの状態を識別する情報を送信するための計装薬剤パッケージ送信機と、を有する計装薬剤パッケージと、
トリガー信号を送信するための薬剤監視装置送信機と、計装薬剤パッケージ送信機により送信される情報を受信するための薬剤監視装置受信機と、を有する薬剤監視装置と、
を有することを特徴とする薬剤監視システム。
【請求項２】
更に、少なくとも第２の計装薬剤パッケージを有し、前記トリガー信号は第１又は第２の計装薬剤パッケージを選択的にトリガーすることを特徴とする請求項１に記載の薬剤監視システム。
【請求項３】
前記トリガー信号は、特定の計装薬剤パッケージを識別する識別手段を有することを特徴とする請求項２に記載の薬剤監視システム。
【請求項４】
前記薬剤監視装置は更に、少なくとも１つの遠隔コンピュータに対するネットワーク接続手段を有することを特徴とする請求項１に記載の薬剤監視システム。
【請求項５】
前記ネットワーク接続手段は、前記薬剤監視装置をインターネットに接続することを特徴とする請求項４に記載の薬剤監視システム。
【請求項６】
前記ネットワーク接続手段は、無線ネットワーク接続手段であることを特徴とする請求項４に記載の薬剤監視システム。
【請求項７】
前記ネットワーク接続手段は、前記薬剤監視装置をインターネットに接続することを特徴とする請求項６に記載の薬剤監視システム。
【請求項８】
前記少なくとも１つの遠隔コンピュータは、複数の薬剤監視装置からの情報を受信するための中央監視ステーションを有することを特徴とする請求項４に記載の薬剤監視システム。
【請求項９】
前記中央監視ステーションは、計装薬剤パッケージと関係付けられた薬剤指示を受け取るための医者インターフェースを有し、前記ネットワーク接続手段は、前記指示を前記中央監視ステーションから前記計装薬剤パッケージと関係付けられた薬剤監視装置へと伝達するための通信機能を有することを特徴とする請求項８に記載の薬剤監視システム。
【請求項１０】
前記指示は、薬剤監視装置と関係付けられた計装薬剤パッケージからの薬剤摂取の量及び頻度に関する指示を含むことを特徴とする請求項９に記載の薬剤監視システム。
【請求項１１】
前記薬剤監視装置は更に、前記指示を表示するための表示装置を有することを特徴とする請求項９に記載の薬剤監視システム。
【請求項１２】
前記薬剤監視装置は更に、指示の受領を、前記ネットワーク接続手段を介して前記中央監視ステーションに知らせるためのアラームを有することを特徴とする請求項１１に記載の薬剤監視システム。
【請求項１３】
前記中央監視ステーションは、アクセス監視ソフトウェアを有し、該アクセス監視ソフトウェアは、薬剤監視装置と関係付けられた計装薬剤パッケージが不適切にアクセスされたか否かを判断することを特徴とする請求項８に記載の薬剤監視システム。
【請求項１４】
前記計装薬剤パッケージは、受動高周波識別回路を有し、該受動高周波識別回路は、トリガー信号に対する応答を前記トリガー信号のエネルギーを利用して送信することを特徴とする請求項１３に記載の薬剤監視システム。
【請求項１５】
前記受動高周波識別回路は、少なくとも１つの切断可能コネクタの状態をその中に組み込むための回路を有し、前記状態は、トリガー信号に対する前記受動高周波識別回路からの応答に影響することを特徴とする請求項１４に記載の薬剤監視システム。
【請求項１６】
前記薬剤監視装置は更に、薬剤摂取監視プログラムと、表示装置と、を有し、前記薬剤摂取監視プログラムは、薬剤摂取スケジュールを監視し、該スケジュールは、薬剤が摂取されるべき時間を識別し、又その時に薬剤収納部へのアクセスが検出されたことを示す情報がない場合にアラームを表示することを特徴とする請求項１に記載の薬剤監視システム。
【請求項１７】
前記薬剤監視装置は、ネットワーク接続手段を有し、該ネットワーク接続手段は、少なくとも１つの遠隔コンピュータに接続されることを特徴とする請求項１３に記載の薬剤監視システム。
【請求項１８】
前記計装薬剤パッケージは、能動高周波識別回路と、受動高周波識別回路と、前記能動高周波識別回路に電力を供給するための電源装置と、を有することを特徴とする請求項１に記載の薬剤監視システム。
【請求項１９】
前記計装薬剤パッケージは更に、前記能動高周波識別回路を有効にするための手段を有することを特徴とする請求項１８に記載の薬剤監視システム。
【請求項２０】
前記能動高周波識別回路を有効にするための手段は、スイッチを有し、該スイッチは、前記電源装置を前記能動高周波識別回路に接続することを特徴とする請求項１８に記載の薬剤監視システム。
【請求項２１】
前記スイッチは、機械式スイッチを有することを特徴とする請求項２０に記載の薬剤監視システム。
【請求項２２】
前記スイッチは、スイッチラベルを有することを特徴とする請求項２０に記載の薬剤監視システム。
【請求項２３】
前記スイッチは更に、前記電源装置が前記能動高周波識別回路に接続された時に前記受動高周波識別回路を無効にするための手段を有することを特徴とする請求項２０に記載の薬剤監視システム。
【請求項２４】
前記無効にするための手段は、ヒュージブルリンクを有することを特徴とする請求項２３に記載の薬剤監視システム。
【請求項２５】
前記薬剤監視装置は、携帯型であることを特徴とする請求項１に記載の薬剤監視システム。
【請求項２６】
前記携帯型薬剤監視装置は更に、ネットワーク接続手段を有することを特徴とする請求項２５に記載の薬剤監視システム。
【請求項２７】
前記ネットワーク接続手段は、前記携帯型薬剤監視装置を少なくとも１つの遠隔コンピュータに接続することを特徴とする請求項２６に記載の薬剤監視システム。
【請求項２８】
前記ネットワーク接続手段は、無線であることを特徴とする請求項２７に記載の薬剤監視システム。
【請求項２９】
前記携帯型薬剤監視装置は更に、薬剤摂取監視プログラムと、表示装置と、を有し、前記薬剤摂取監視プログラムは、薬剤摂取スケジュールを監視し、該スケジュールは、薬剤が摂取されるべき時間を識別し、又薬剤収納部へのアクセスが検出されることなく、薬剤が摂取されるべきことが示された時間が経過した場合にアラームを表示することを特徴とする請求項２７に記載の薬剤監視システム。
【請求項３０】
薬剤収納部と関係付けられた少なくとも１つの切断可能コネクタを有する計装薬剤パッケージを提供する段階と、
携帯型薬剤監視装置を提供する段階と、
前記薬剤監視装置からトリガー信号を発信する段階と、
前記計装薬剤パッケージにて前記トリガー信号を受信する段階と、
前記トリガー信号が受信された時に、前記計装薬剤パッケージから前記少なくとも１つの切断可能コネクタの状態を識別する情報を送信する段階と、
前記情報を前記携帯型薬剤監視装置にて受信する段階と、
前記情報をネットワーク接続手段を介して遠隔コンピュータに送る段階と、
を有することを特徴とする薬剤摂取監視方法。
【請求項３１】
前記計装薬剤パッケージから前記切断可能コネクタの状態を識別する情報を送信する段階は、受動高周波識別回路を用いて達成され、前記受動高周波識別回路は、前記送信される信号を前記切断可能コネクタの状態に基づいて修飾するために、前記切断可能コネクタを前記回路に組み込むことを特徴とする請求項３０に記載の薬剤摂取監視方法。
【請求項３２】
前記計装薬剤パッケージから前記切断可能コネクタの状態を識別する情報を送信する段階は更に、前記計装薬剤パッケージを説明する情報を送信することを含むことを特徴とする請求項３１に記載の薬剤摂取監視方法。
【請求項３３】
前記計装薬剤パッケージを説明する情報は、固有のパッケージ識別手段を含むことを特徴とする請求項３２に記載の薬剤摂取監視方法。
【請求項３４】
前記計装薬剤パッケージを説明する情報は、前記計装薬剤パッケージと関係付けられた製品情報を含むことを特徴とする請求項３２に記載の薬剤摂取監視方法。
【請求項３５】
前記計装薬剤パッケージを説明する情報は、前記計装薬剤パッケージ内に収納された薬剤と関係付けられた期限切れ情報を含むことを特徴とする請求項３２に記載の薬剤情報監視方法。